(57)【要約】【課題】画像形成の待機中に、帯電部から放出されたオゾンや窒素酸化物により感光体ドラム周面が浸食され、画像形成に切り替わった時に出力される画像の白帯状や黒帯状の濃度むらが発生しない画像形成装置の提供。【解決手段】帯電手段から発生するオゾンや窒素酸化物をオゾンフィルタを通して除去し、排気ファンにより機外に排出する手段を有し、感光体ドラムが画像形成を待機している時に、検知手段が検知した湿度に応じて、制御手段が（イ）感光体ドラムの回動、（ロ）排気ファンの駆動、（ハ）感光体ドラムの回動及び排気ファンの駆動、を制御することを特徴とする画像形成装置。【選択図】        図６
2004287316.tif 000002
【特許請求の範囲】
【請求項１】
少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生するオゾンをオゾンフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が検知した湿度に応じて像担持体を回動させるよう制御することを特徴とする画像形成装置。
【請求項２】
前記像担持体は、所定時間内に前記帯電手段の回動方向の幅以上回動することを特徴とする請求項１に記載の画像形成装置。
【請求項３】
前記湿度が４０％以下であることを特徴とする請求項１又は２に記載の画像形成装置。
【請求項４】
少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生するオゾンをオゾンフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が一定時間間隔で検知した湿度に応じて該ファンを駆動させるよう制御することを特徴とする画像形成装置。
【請求項５】
前記湿度が４０％以下であることを特徴とする請求項４に記載の画像形成装置。
【請求項６】
前記ファンの駆動時間は、前記検知手段の検知回数の増加と共に減少するよう前記制御手段により制御されることを特徴とする請求項４又は５に記載の画像形成装置。
【請求項７】
少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生する放電生成物をフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が一定時間間隔で検知した湿度に応じて像担持体を回動させると共に、該ファンを駆動させるよう制御することを特徴とする画像形成装置。
【請求項８】
前記像担持体は、所定時間内に前記帯電手段の回動方向の幅以上回動することを特徴とする請求項７に記載の画像形成装置。
【請求項９】
前記湿度が４０％以下であることを特徴とする請求項７又は８に記載の画像形成装置。
【請求項１０】
前記ファンの駆動時間は、前記検知手段の検知回数の増加と共に減少するよう前記制御手段により制御されることを特徴とする請求項７〜９のいずれか１項に記載の画像形成装置。
【請求項１１】
カラー画像形成装置であることを特徴とする請求項１〜１０のいずれか１項に記載の画像形成装置。
【発明の詳細な説明】
【０００１】
【発明の属する技術分野】
本発明は、プリンタ、複写機、ファクシミリ等の電子写真方式を用いた画像形成装置に係わり、特に、像担持体上にトナー像を形成する感光体の帯電に関する。
【０００２】
【従来の技術】
帯電部、露光部、現像部、転写部、クリーニング部等を周囲に有する像担持体上にトナー像を形成し、トナー像を静電的に転写材等の記録媒体に転写する画像形成装置が知られている。
【０００３】
一般に、像担持体としては製造上及び装置の小型化等の利点からドラムタイプが主流であり、その表面には感光体として最近はＯＰＣ（有機光導電体）感光体が積層されたタイプが主流となっており、該ドラムの周囲に上記の帯電部、露光部、現像部、転写部、クリーニング部等が処理の順番に従って配設されている。
【０００４】
帯電手段である帯電部は像担持体に所定の表面電位を付与する時に高電圧をかけてコロナ放電を起こさせるため、空気中の酸素が分解してオゾンや窒素酸化物等の放電生成物が発生する。
【０００５】
高濃度のオゾンは異臭を伴い呼吸障害等が生じるなど人体に対しても有害であり、オゾンや窒素酸化物等を装置内に滞留させると、像担持体への付着や蓄積によりトナー画像流れや画像ぼけ等の画像異常が発生する。
【０００６】
ＯＰＣ感光体はマイナスの電荷であり、過帯電により絶縁破壊が起こりやすいので帯電部の帯電極にグリッド電圧を印加するグリッド電極を設け、コロナイオン流の制御を行い、感光体に到達するイオン量を前記グリッド電極で制御している。
【０００７】
このようにグリッド電極を設けた帯電極は特にオゾンや窒素酸化物の発生も多くなり、一般にオゾンや窒素酸化物は感光体に悪影響を与えるためオゾンや窒素酸化物を感光体側に流さないように帯電極のシールドケースの一部にスリットを形成し、画像形成装置内に設けられた排気ファンにより、できるだけ早く機内のオゾンや窒素酸化物を排出するように設けられている。
【０００８】
しかしながら、画像形成時に帯電部から発生したオゾンや窒素酸化物は、ダクトを使って、オゾンフィルターを通して除去し、ファンにより機外に排出する方法によっても、待機状態になってもその場所に浮遊し、完全に除去することは困難である。
【０００９】
そのため、像担持体（以降、感光体ドラムという）が待機状態で停止していると、感光体ドラムの幅方向｛中間転写ベルト７０（図１を参照）の搬送面方向に対し９０度方向｝に対して、帯電部のシールドケース開口部と対向した感光体ドラムの周囲に積層されたＯＰＣ感光体がオゾン等の放電生成物に晒される時間がその他の感光体ドラムの周囲に積層されたＯＰＣ感光体より多くなり、浸食される恐れが強くなる。
【００１０】
そのため、帯電部付近に滞留したオゾンや窒素酸化物が感光体に悪影響を与え、感光体の電位低下、耐久性の劣化により良好な画質を得られなくなる。
【００１１】
特に、低湿環境における待機時に帯電部の帯電極やオゾン排出経路からオゾンや窒素酸化物が漏れ出し像担持体表面に付着することにより、画像形成時ラインスクリーンハーフトーン露光｛２００ｌｐｉ（ｌｉｎｅ  ｐｅｒ  ｉｎｃｈ）｝において露光した領域の電位が周囲に流れ、露光部の現像コントラスト電位が小さくなると共に、流れた露光領域外の電位もかぶり補正電位（Ｖｈ）から現像ＤＣバイアス電位（Ｖｄｃ）以下に下がらず、トナーが現像されずトナー付着量が少ないため、その部分が白い帯状の画像濃度むらとなってしまう。
【００１２】
一方、ドットスクリーンハーフトーン露光（６００ｌｐｉ）において露光した領域の電位が周囲に流れ、露光ドット間距離が短くドットが接近しているため、露光部の現像コントラスト電位の低下量が低く抑えられると共に、露光領域外の電位もビーム径の広がりのため、元々ＶｈからＶｄｃ近辺まで下がっている状態で電荷が流れてくるのでＶｄｃ以下になるため、トナーが現像過多となりトナー付着量が多くなり、その部分が黒い帯状の画像濃度むらとなってしまう。
【００１３】
従来、このような問題に対しては、画像形成装置の画像形成の待機時に、装置の昇温を制御する冷却ファンの作動により、一定時間毎に感光体ドラムをクリーニング部幅以上に回動させ、転写材に転写された画像の濃度ムラ発生の防止を図っている（例えば、特許文献１）。
【００１４】
【特許文献１】
特開２０００−７５５６７号公報（段落番号００４２、図５）
【００１５】
【発明が解決しようとする課題】
しかしながら、その場合以下のような問題がある。
【００１６】
すなわち、（イ）装置の昇温を制御する冷却ファンの作動による感光体ドラムの回動であり、湿度依存性の考慮をしていない。（ロ）クリーニング部に限定した対応方法であり、帯電部におけるコロナ放電により発生するオゾンや窒素酸化物等の放電生成物による画像ムラ防止対応していない。
【００１７】
そのため、本発明の目的は、このような問題を発生しない画像形成装置を提供することにある。
【００１８】
【課題を解決するための手段】
上記目的は、下記の本発明の画像形成装置によって達成される。
【００１９】
（１）  少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生するオゾンをオゾンフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が検知した湿度に応じて像担持体を回動させるよう制御することを特徴とする画像形成装置。
【００２０】
（２）  前記像担持体は、所定時間内に前記帯電手段の回動方向の幅以上回動することを特徴とする（１）に記載の画像形成装置。
【００２１】
（３）  前記湿度が４０％以下であることを特徴とする（１）又は（２）に記載の画像形成装置。
【００２２】
（４）  少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生するオゾンをオゾンフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が一定時間間隔で検知した湿度に応じて該ファンを駆動させるよう制御することを特徴とする画像形成装置。
【００２３】
（５）  前記湿度が４０％以下であることを特徴とする（４）に記載の画像形成装置。
【００２４】
（６）  前記ファンの駆動時間は、前記検知手段の検知回数の増加と共に減少するよう前記制御手段により制御されることを特徴とする（４）又は（５）に記載の画像形成装置。
【００２５】
（７）  少なくとも像担持体と、像担持体を帯電させる帯電手段と、帯電した像担持体上に静電潜像を形成する像露光手段と、該静電潜像に帯電したトナーを供給し顕像化する現像手段と、該顕像化した像担持体上のトナー像を転写材上に転写する転写手段と、該帯電手段から発生する放電生成物をフィルタを通して除去し、ファンにより機外へ排出する手段と、制御手段と、像担持体周囲の雰囲気の湿度を検知する検知手段とを有し、該制御手段は像担持体が画像形成を待機している時に、該検知手段が一定時間間隔で検知した湿度に応じて像担持体を回動させると共に、該ファンを駆動させるよう制御することを特徴とする画像形成装置。
【００２６】
（８）  前記像担持体は、所定時間内に前記帯電手段の回動方向の幅以上回動することを特徴とする（７）に記載の画像形成装置。
【００２７】
（９）  前記湿度が４０％以下であることを特徴とする（７）又は（８）に記載の画像形成装置。
【００２８】
（１０）  前記ファンの駆動時間は、前記検知手段の検知回数の増加と共に減少するよう前記制御手段により制御されることを特徴とする（７）〜（９）のいずれか１項に記載の画像形成装置。
【００２９】
（１１）  カラー画像形成装置であることを特徴とする（１）〜（１０）のいずれか１項に記載の画像形成装置。
【００３０】
【発明の実施の形態】
本発明に係わる実施の形態の１例について、以下に図面を用いて説明する。
【００３１】
なお、これにより本発明を限定するものではない。
図１は画像形成装置の全体の構成を示す概略図、図２は画像形成装置を構成する１組の画像形成部を示す概略図、図３は感光体ドラムの回動を制御することを示すブロック図、図４は感光体ドラムの回動を制御するフローチャート、図５はファン（以降、排気ファンという）の駆動を制御するフローチャート、図６は感光体ドラムの回動と排気ファンの駆動を制御するフローチャートである。
【００３２】
本カラー画像形成装置は、タンデム型カラー画像形成装置と称せられるもので、複数組の画像形成部１０Ｙ、１０Ｍ、１０Ｃ、１０Ｋと、無端ベルト状中間転写体ユニット７と、給紙搬送部２１及び定着装置２４とから成り、画像形成装置の本体Ａの上部には、原稿画像読み取り装置ＳＣが配置されている。
【００３３】
イエロー色の画像を形成する画像形成部１０Ｙは、感光体ドラム１Ｙの周囲に配設された帯電手段である帯電部２Ｙ、露光手段である露光部３Ｙ、現像手段である現像部４Ｙ、１次転写手段としての１次転写ローラ５Ｙ、クリーニング手段であるクリーニング部６Ｙを有する。
【００３４】
マゼンタ色の画像を形成する画像形成部１０Ｍは、感光体ドラム１Ｍ、帯電部２Ｍ、露光部３Ｍ、現像部４Ｍ、１次転写手段としての１次転写ローラ５Ｍ、クリーニング部６Ｍを有する。
【００３５】
シアン色の画像を形成する画像形成部１０Ｃは、感光体ドラム１Ｃ、帯電部２Ｃ、露光部３Ｃ、現像部４Ｃ、１次転写手段としての１次転写ローラ５Ｃ、クリーニング部６Ｃを有する。
【００３６】
黒色画像を形成する画像形成装置１０Ｋは、感光体ドラム１Ｋ、帯電部２Ｋ、露光部３Ｋ、現像部４Ｋ、１次転写手段としての１次転写ローラ５Ｋ、クリーニング部６Ｋを有する。
【００３７】
無端ベルト状中間転写体ユニット７は、複数のローラ７１、７２、７３、７４により巻回され、回動可能に支持された半導電性エンドレスベルト状の無端ベルト状中間転写体７０（以降、中間転写ベルトという）を有する。
【００３８】
画像形成部１０Ｙ、１０Ｍ、１０Ｃ、１０Ｋより形成された各色の画像は、１次転写ローラ５Ｙ、５Ｍ、５Ｃ、５Ｋにより回動する中間転写ベルト７０上に順次転写されて、合成されたカラー画像が形成される。
【００３９】
給紙カセット２０内に収納された記録媒体としての転写材Ｐは、給紙搬送部２１により給紙され、複数の中間ローラ２２Ａ、２２Ｂ、２２Ｃ、２２Ｄ、レジストローラ２３を経て、２次転写手段５Ａに搬送され、転写材Ｐ上にカラー画像が一括転写される。
【００４０】
カラー画像が転写された転写材Ｐは、定着装置２４により定着処理され、排紙ローラ２５に狭持されて排紙トレイ２６上に載置される。
【００４１】
以上は転写材Ｐの片側への画像形成を行う状態を説明したものであるが、両面複写の場合は、排紙切り換え部材２７が切り替わり、用紙案内部２８が開放され、転写材Ｐは矢示ａの方向に搬送される。
【００４２】
さらに、搬送機構２９により転写材Ｐは下方に搬送され、用紙反転部３０によりスイッチバックさせられ、転写材Ｐの後端部が先端部となって両面複写用給紙ユニット３１内に搬送される。
【００４３】
転写材Ｐは、両面複写用給紙ユニット３１に設けられた搬送ガイド３２を給紙方向に移動し、給紙ローラ３３Ａ、３３Ｂ、３３Ｃ、３３Ｄで転写材Ｐを再給紙し、転写材Ｐを搬送路Ｒに案内する。
【００４４】
このように、再び、上述したように２次転写の位置に転写材Ｐを搬送し、転写材Ｐの裏面にトナー画像を転写し、定着装置２４で定着した後、排紙トレイ２６に排紙する。
【００４５】
また、２次転写部５Ａにより転写材Ｐにカラー画像を転写した後、転写材Ｐを曲率分離した中間転写ベルト７０は、クリーニング部６Ａにより残留トナーが除去される。
【００４６】
画像形成処理中、１次転写ローラ５Ｋは常時、感光体ドラム１Ｋに圧接し、他の１次転写ローラ５Ｙ、５Ｍ、５Ｃはカラー画像形成時にのみ、それぞれ対応する感光体ドラム１Ｙ、１Ｍ、１Ｃに圧接する。
【００４７】
画像形成部１０Ｙ、１０Ｍ、１０Ｃ、１０Ｋは、垂直方向に縦列配置され、感光体ドラム１Ｙ、１Ｍ、１Ｃ、１Ｋの図示左側には無端ベルト状中間転写体ユニット７が配置されている。
【００４８】
無端ベルト状中間転写体ユニット７は、ローラ７１、７２、７３、７４を巻回して回動可能な中間転写ベルト７０、１次転写ローラ５Ｙ、５Ｍ、５Ｃ、５Ｋ及びクリーニング部６Ａとから成る。
【００４９】
次に、画像形成プロセスについて図１をもとに説明する。
画像記録のスタートにより不図示の感光体ドラム駆動モータの始動により、イエロー（Ｙ）の画像形成部１０Ｙの感光体ドラム１Ｙが図１の矢示の反時計方向へ回動され、同時にＹの帯電部２Ｙの帯電作用によりＹの感光体ドラム１Ｙに電位の付与が開始される。
【００５０】
Ｙの感光体ドラム１Ｙは電位を付与された後、Ｙの露光部３Ｙによって第１の色信号すなわちＹの画像データに対応する電気信号による画像書き込みが開始され、Ｙの感光体ドラム１Ｙの表面に原稿画像のＹの画像に対応する静電潜像が形成される。
【００５１】
前記の潜像はＹの現像部４Ｙの現像ローラ４Ｙ１により接触或いは非接触の状態で反転現像され、Ｙの感光体ドラム１Ｙの回転に応じて、感光体ドラム１Ｙ上にイエロー（Ｙ）のトナー像が形成される。
【００５２】
上記の画像形成プロセスによってＹの感光体ドラム１Ｙ上に形成されたＹのトナー像が、Ｙの転写域（符号なし）において、第１の転写手段であるＹの１次転写ローラ５Ｙによって、中間転写ベルト７０上に転写される。
【００５３】
次いで、中間転写ベルト７０上のＹのトナー像と同期が取られ、マゼンタ（Ｍ）の画像形成部１０ＭによりＭの帯電部２Ｍの帯電作用により電位が付与され、Ｍの露光部３Ｍによって第２の色信号すなわちＭの画像データに対応する電気信号による画像書き込みが行われる。
【００５４】
引き続きＭの現像部４Ｍの現像ローラ４Ｍ１による接触或いは非接触の反転現像によってＭの感光体ドラム１Ｍ上に形成されたＭのトナー像が、Ｍの転写域（符号なし）において、Ｍの１次転写ローラ５Ｍによって、前記のＹのトナー像の上からＭのトナー像が重ね合わせて形成される。
【００５５】
同様のプロセスにより、Ｙ、Ｍの重ね合わせトナー像と同期が取られ、シアン（Ｃ）の画像形成部１０ＣによりＣの感光体ドラム１Ｃ上に形成された、第３の色信号によるＣの画像データに対応するＣのトナー像が、Ｃの転写域（符号なし）において、Ｃの１次転写ローラ５Ｃによって、前記のＹ、Ｍのトナー像の上から重ね合わせて形成される。
【００５６】
さらに、Ｙ、Ｍ、Ｃの重ね合わせトナー像と同期が取られ、黒色（Ｋ）の画像形成部１０ＫによりＫの感光体ドラム１Ｋ上に形成された、第４の色信号によるＫの画像データに対応するＫのトナー像が、Ｋの転写域（符号なし）において、Ｋの１次転写ローラ５Ｋによって、前記のＹ、Ｍ、Ｃのトナー像の上から重ね合わせて形成され、中間転写ベルト７０上にＹ、Ｍ、Ｃ及びＫの重ね合わせカラートナー像が形成される。
【００５７】
転写後の各色毎の感光体ドラム１Ｙ、１Ｍ、１Ｃ、１Ｋの周面上に残った転写残トナーは、各色毎のクリーニング部６Ｙ、６Ｍ、６Ｃ、６Ｋの、感光体ドラム１Ｙ、１Ｍ、１Ｃ、１Ｋと当接状態となっているクリーニング部材であるクリーニングブレード（図２参照、画像形成部１０Ｙを構成するクリーニングブレード６Ｙ１として表示）により摺擦され、クリーニングされる。
【００５８】
中間転写ベルト７０上の重ね合わせカラートナー像形成と同期して転写材収納手段である給紙カセット２０から、１枚づつ分離搬送された転写材Ｐが、転写材給送手段としてのタイミングローラ２３を経て第２の転写手段である２次転写ローラ５Ａの転写域（符号なし）へと搬送され、トナーと反対極性の直流電圧が印加される２次転写ローラ５Ａにより、中間転写ベルト７０上の重ね合わせカラートナー像が転写材Ｐ上に一括して再転写される。
【００５９】
カラートナー像が転写された転写材Ｐは、分離手段である除電電極（図示せず）により除電され、定着装置２４へと搬送され、定着ローラ２４Ａと圧着ローラ２４Ｂとの間で熱と圧力とを加えられることにより、転写材Ｐ上のトナー像が定着された後、排紙ローラ２５により排紙トレイ２６へ排出される。
【００６０】
転写後の中間転写ベルト７０の周面上に残った転写残トナーは、中間転写ベルトクリーニング部６Ａにて中間転写ベルト７０を挟んでクリーニング対向ローラ６Ａ２に対向して設けられる中間転写ベルト７０と当接状態となっている中間転写体クリーニング部材である中間転写体クリーニングブレード６Ａ１により摺擦され、クリーニングされる。
【００６１】
図２は、タンデム型カラー画像形成装置を構成する１組の画像形成部（１例としてＹを示す）を取り出し示す概略断面図である。
【００６２】
なお、Ｙ以外のＭ、Ｃ、Ｋも同じ構成、機能、サイズを有しているので、以下はＹにて説明する。
【００６３】
この実施形態の感光体ドラム１Ｙは、ドラム基体に主にアルミニウムが用いられ、その基体上に感光体としてＯＰＣ（有機光導電体）感光体が使用され、機能分離タイプの積層型を採用し、例えばドラム径φ６０ｍｍで矢示方向に２２０ｍｍ／ｓの周速で回動する。
【００６４】
積層型ＯＰＣ感光体は、ドラム基体上に下引層、その上に電荷キャリア発生層（ＣＧＬ）と電荷キャリア輸送層（ＣＴＬ）が積層・塗布され、感光層の膜厚は２５μｍである。
【００６５】
なお基体としては、ベルトやシートのものもあるが、現在主に採用されているのがドラムタイプである。
【００６６】
帯電部２Ｙは、回動する感光体ドラム１Ｙの周囲をコロナ放電により所定の極性・電位に一様に帯電処理するものであり、本実施例ではコロナ放電電極２Ｙ１を使用した非接触帯電装置を用いている。
【００６７】
像露光部３Ｙは、レーザ走査方式による半導体レーザ（ＬＤ）を用い、その出力パワーは３００μＷであり、レーザビームを出射して感光体ドラム１Ｙの一様に帯電した表面を走査露光し、静電潜像を形成する。
【００６８】
像露光部３Ｙの下流側で現像部４Ｙの上流には、感光体表面の電位を測定する電位センサＳＰが設けられていて、感光体の非画像部の電位は電位センサＳＰの検出電位に基づいてフィードバック制御がなされている。
【００６９】
現像部４Ｙは、感光体ドラム１Ｙ上の静電潜像をトナー像として現像し、接触或いは非接触による現像が、イメージ露光と反転現像との組み合わせで行われ、現像剤としてトナーとキャリアで構成された２成分現像剤が用いられ、現像部４Ｙ内でのトナー濃度は約６質量％に維持されている。
【００７０】
なおトナーとしては、体積平均粒径が３〜８μｍの重合トナーが好ましく、重合トナーを用いることにより、高解像力であり、濃度が安定し、かぶりの発生が極めて少ない画像形成が可能となる。
【００７１】
１次転写ローラ５Ｙは弾性層を有する回転体形状の接触転写部材であって、本実施形態ではローラ径φ２０ｍｍ、抵抗１×１０６Ωの発泡ゴムローラで、材質にはＮＢＲ（ニトリルブタジエンゴム）を使用し、硬度３０度（アスカーＣスケール）、感光体へ５００ｇ荷重をもって押圧し、感光体ドラム１Ｙとの間で転写ニップ部（転写位置）Ｎを形成している。
【００７２】
中間転写ベルト７０上に転写されたトナー像の転写後の感光体ドラム１Ｙの表面はクリーニング部６Ｙにより転写残トナーの清掃が行われ、本実施例においてはウレタンゴム製のクリーニングブレード６Ｙ１が用いられ、クリーニングブレード６Ｙ１はカウンタタイプに感光体ドラム１Ｙの周面に摺擦して清掃を行っている。
【００７３】
クリーニング部６Ｙを通過して表面が清掃された感光体ドラム１Ｙの周面は、帯電前露光（ＰＣＬ）部（図示せず）によって照射がなされ、残留電位を低下して次の画像形成サイクルへと移行する。
【００７４】
本実施の形態に係る画像形成部の帯電部２Ｙについてさらに詳しく述べると、図２において、帯電部２Ｙはコロナ放電電極２Ｙ１、シールドケース２Ｙ２、グリッド電極２Ｙ３等から構成され、さらに該帯電部２Ｙから放出されるオゾンや窒素酸化物等の放電生成物が感光体ドラム１Ｙへの帯電作用以外に感光体ドラム１Ｙやその他の機内各部へ影響しないようにオゾン排出部２Ｙ４、ダクト２Ｙ５、オゾンフィルタ２Ｙ６、排気ファン２Ｙ７で構成されている。
【００７５】
帯電部２Ｙは、感光体ドラム１Ｙに対向して配設され、シールドケース２Ｙ２の感光体ドラム１Ｙ面側が開口されており、２面はコロナ放電電極２Ｙ１から放出されるコロナイオンが効率よく感光体ドラム面に電荷を与えられるように金属製（主にアルミ）のカバーをシールド電極として機能させている。
【００７６】
また、バックプレートＢに穴を開けており、バックプレートＢ側から矢示のように空気を吸い込み、感光体ドラム１Ｙと開口部Ｄとの隙間を通り、オゾン排出部２Ｙ４側へ排出される。
【００７７】
コロナ放電電極２Ｙ１は直径０．０３〜０．０６ｍｍのタングステンワイヤで主に構成されており、シールドケース２Ｙ２の中の両側面に対し１又は複数本張架され、感光体ドラム１Ｙの幅方向と平行に対向し、かつ約１０ｍｍ離して配設されている。
【００７８】
コロナ放電電極２Ｙ１に高電圧（５〜１０ＫＶ）を印加すると、コロナ放電電極２Ｙ１の周囲に局所的な強い電場が形成され、部分的な空気の絶縁破壊が起こり、コロナ放電が行われ、発生する正又は負イオンを移動させ、感光体表面に電荷を付与し、一定電位に帯電する。
【００７９】
感光体表面の帯電電位のムラを少なくするために、シールドケース２Ｙ２の開口面Ｄにコロナ放電電極２Ｙ１とは絶縁してタングステン或いはステンレス製の数本のワイヤ或いはメッシュをグリッド電極２Ｙ３としてコロナ放電電極２Ｙ１と感光体ドラム１Ｙの幅方向との間に平行に、かつ感光体表面に対し約１〜２ｍｍ離して配設され、スコロトロン帯電器を形成している。
【００８０】
グリッド電極２Ｙ３は、コロナイオン流の制御を行い感光体へ到達するイオン量をグリッド電圧により制御し、放電ムラを生じやすいマイナス放電や過帯電により絶縁破壊し易いＯＰＣ感光体を用いる場合によく用いられている。
【００８１】
画像形成時に帯電部２Ｙにおける帯電作用により、シールドケース２Ｙ２の開口部Ｄと感光体ドラム１Ｙ表面との隙間から漏れるオゾンや窒素酸化物は、画像形成開始と同時に駆動する画像形成装置の外枠に設けられた排気ファン２Ｙ７により、排気ダクト２Ｙ５内を案内され、オゾンフィルタ２Ｙ６を通して除去され、排気ファン２Ｙ７により機外へオゾンレス状態で排出される。
【００８２】
なお、排気ダクト２Ｙ５は機内の各部の配置や着脱を考慮してフレキシブルな形状を採用している。
【００８３】
しかしながら、従来画像形成の待機時においては、オゾンや窒素酸化物除去としての上述の構造においては感光体ドラム１Ｙとシールドケース２Ｙ２の開口部Ｄとの隙間からのオゾンや窒素酸化物の流失を完全に取り除くことは困難であり、待機時に排気ファン２Ｙ７が停止することにより、回転を停止している感光体ドラム１Ｙ周囲部と対向するシールドケース２Ｙ２の開口部Ｄの幅Ｗとの間に除去し切れず滞留するオゾンに感光体ドラム１Ｙ表面に積層された幅Ｗに相当するＯＰＣ感光体が晒される時間がその他の感光体ドラム１Ｙの周囲に積層されたＯＰＣ感光体より多くなり、その部分のＯＰＣ感光体が浸食され、感光体電位の低下、耐久性の劣化により良好な画質を維持することが困難になり、それ以外のＯＰＣ感光体により形成された画質との違いが生じ、帯状の画像むらとなった画像を形成することになる。
【００８４】
これを防ぐために、本発明の実施方法を以下に説明する。
図３は画像形成装置の待機時における感光体ドラム１Ｙ、１Ｍ、１Ｃ、１Ｋの回動制御を示すブロック図である。
【００８５】
本ブロック図に示す感光体ドラム回動制御は各色Ｙ、Ｍ、Ｃ、Ｋで同じであるから、以下はまとめて説明する。
【００８６】
画像形成部１０Ｙ、１０Ｍ、１０Ｃ、１０Ｋを構成する感光体ドラム１Ｙ、１Ｍ、１Ｃ、１Ｋ周囲の雰囲気の湿度を検知するセンサＳ（図１参照）を感光体ドラムＩＭの近傍に設けてある。
【００８７】
なお、本装置のように感光体ドラムが４個又は複数配設されている場合には、検知湿度が最も低い値を示す感光体ドラム近傍に湿度検知を行うセンサＳを配設すればよい。
【００８８】
画像形成装置が待機状態になると、制御手段としての制御部１００はセンサＳの検知湿度のチェックを５分毎に行い、検知湿度が予めメモリ１に記憶された湿度Ｋ以下になった場合には、感光体１Ｙ、１Ｍ、１Ｃ、１Ｋの感光体面の湿度が該湿度Ｋ以下になった状態にあると判断する。
【００８９】
次に、該判断に基づき制御部１００は、駆動回路（Ｙ）、（Ｍ）、（Ｃ）、（Ｋ）に信号を送ることにより、駆動源（Ｙ１）、（Ｍ１）、（Ｃ１）、（Ｋ１）を始動させ、駆動源と連接した感光体ドラム１Ｙ、１Ｍ、１Ｃ、１Ｋを回動（反時計方向）させ、予め規定された回動量に達したと制御部１００が判断すると、制御部１００は駆動回路（Ｙ）、（Ｍ）、（Ｃ）、（Ｋ）へ信号を送り、駆動源（Ｙ１）、（Ｍ１）、（Ｃ１）、（Ｋ１）を停止させ、感光体ドラム１Ｙ、１Ｍ、１Ｃ、１Ｋの回動を停止させる。
【００９０】
なお、中間転写ベルト７０を感光体ドラム１Ｙ、１Ｍ、１Ｃ、１Ｋ回動と同じタイミングで時計方向に回動させ、同じタイミングで停止させるようにしてもよい。
【００９１】
また、該判断に基づき制御部１００は、駆動回路（Ｙ）、（Ｍ）、（Ｃ）、（Ｋ）に信号を送ることにより、駆動源（Ｙ２）、（Ｍ２）、（Ｃ２）、（Ｋ２）を始動させ、駆動源（Ｙ２）、（Ｍ２）、（Ｃ２）、（Ｋ２）と連接した排気ファン２Ｙ７、２Ｍ７、２Ｃ７、２Ｋ７を駆動させ、予め規定したファン駆動時間になったと制御部１００が判断すると、制御部１００は駆動回路（Ｙ）、（Ｍ）、（Ｃ）、（Ｋ）へ信号を送り、駆動源（Ｙ２）、（Ｍ２）、（Ｃ２）、（Ｋ２）を停止させ、排気ファン２Ｙ７、２Ｍ７、２Ｃ７、２Ｋ７の駆動を停止させる。
【００９２】
排気ファン２Ｙ７、２Ｍ７、２Ｃ７、２Ｋ７の駆動に関しては、画像形成の待機中に一定時間間隔（本実施の形態では湿度検知間隔は５分に設定している）の湿度検知毎に待機開始から時間経過と共に、排気ファン２Ｙ７、２Ｍ７、２Ｃ７、２Ｋ７の駆動時間を短くするように（例えば、最初の検知間隔では５分駆動、次の検知間隔では１分駆動、その次の検知間隔では駆動停止等）メモリ２にプログラムさせてあり、排気ファン２Ｙ７、２Ｍ７、２Ｃ７、２Ｋ７の駆動による騒音を可能な限り少なくしている。
【００９３】
上記の感光体ドラム１Ｙ、１Ｍ、１Ｃ、１Ｋの回動と排気ファン２Ｙ７、２Ｍ７、２Ｃ７、２Ｋ７の駆動とは、各々独立して実行される場合と同時に実行される場合とがあり、制御部１００に予め入力させておくことにより可能である。
【００９４】
上記した湿度Ｋ及び排気ファン駆動方法は、実施例に記載する以下の実験を基に決定した。
【００９５】
【実施例】
以下、実施例を挙げて本発明を詳細に説明するが、本発明の態様はこれに限定されるものではない。
【００９６】
（実施例１）
図１の画像形成装置を基に、以下の設定条件で画像形成の実験を行った。
【００９７】
プロセス速度（感光体ドラム周速）：２２０ｍｍ／ｓ
感光体ドラム：径６０ｍｍ。有機半導体層にフタロシニアン顔料をポリカーボネイトに分散させたものを塗布。電荷輸送層を含めた感光体層の膜厚２５μｍ。
【００９８】
露光：レーザー走査方式。半導体レーザー（ＬＤ）パワーは３００μＷ。
現像：２成分現像方式。現像器中のトナー濃度質量６％。
【００９９】
クリーニング部：カウンター方式ブレード。
中間転写体：厚さ１００μｍのＰＩ（ポリイミド）製シームレスベルト。
【０１００】
以上の条件にて、機内湿度センサは待機中に５分毎に湿度を検知し、検知湿度が１０％、２０％、４０％、６０％、８０％となるように設置環境を変化させて画像出力した。
【０１０１】
画像出力は、１０００コピー出力し、その後１０分待機後全面ハーフトーン画像を各色出力、この一連の動作を１０回繰り返したところ、いずれのハーフトーン画像も白帯状の画像むらが発生せず全面均一であったのは、湿度４０％以上の条件の場合であった。
【０１０２】
湿度４０％以下の場合には、ハーフトーン画像に感光体ドラムの帯電部のシールドケース開口部幅に相当するピッチでの白帯状の画像濃度むらが発生した。
【０１０３】
これを解決するために、画像形成装置の待機中に感光体ドラムを待機後５分経過後に２０ｍｍ（帯電部のシールドケース開口部の感光体ドラム表面に対向した幅）回転させたところ、上記の白帯状の画像濃度むらはなくなった。
【０１０４】
このことから、前記感光体面の湿度Ｋは４０％と規定した。
なお、上記のランニングパターンは各色５％印字の文字パターンで、全面ハーフトーンは２００ｌｐｉでＰＷＭ３０％である。
【０１０５】
（比較例）
さらに、実施例１と同じ装置構成にて、画像形成の待機状態において、機内湿度センサは５分毎に湿度を検知し、感光体ドラム回転は停止、排気ファンを連続駆動させた。
【０１０６】
以上の条件にて、低温低湿（１０℃２０％）環境で１０００コピー出力、１０分待機後全面ハーフトーン画像を各色出力、この一連の動作を１０回繰り返したところ、出力画像には白帯状の画像むらは発生しなかった。
【０１０７】
但し、排気ファンが連続して駆動しているため騒音が認められた。
（比較例）
排気ファンの騒音を低減するために、比較例に対し、排気ファンの駆動条件と待機条件を以下のように変更し実験を行った。
【０１０８】
（イ）１０分待機、排気ファンを最初の湿度センサ検知時間５分間は駆動、次の湿度センサ検知時間５分の内の１分駆動。
【０１０９】
（ロ）３０分待機、排気ファンを最初の湿度センサ検知時間５分間は駆動、次の湿度センサ検知時間５分の内の１分駆動。
【０１１０】
結果は（イ）、（ロ）共に、出力画像には白帯状の画像むらの発生は認められず、問題なしであった。
【０１１１】
排気ファンの騒音は、最初の６分以降は排気ファン駆動停止のため全く発生せず静かな状態を継続した。
【０１１２】
図４は、本実施例において画像形成装置が待機状態にある時の湿度変化に対する感光体ドラム１Ｙ、１Ｍ、１Ｃ、１Ｋの回動制御を示すフローチャートである。
【０１１３】
なお、Ｙ以外のＭ、Ｃ、Ｋも同じ構成、機能、サイズを有しているので、以下、Ｙにて説明する。
【０１１４】
画像形成装置がコピー状態から待機状態（アイドリング時や省エネモード時等）にあるか否かのチェックを制御部１００（図３を参照）が行う（Ｓ１１）。
【０１１５】
待機状態にあると判断された時には、機内湿度を検知するセンサＳが５分毎に機内の感光体ドラム１Ｙ周囲の雰囲気の湿度を検知しているので、検知湿度が予めメモリ１に規定されている湿度Ｋ＝４０％と比較して、湿度４０％以下になっているか否かのチェックを制御部１００が行う（Ｓ１２）。
【０１１６】
一方、待機状態にないと判断された時には、再度待機状態にあるかの判断を行う（Ｓ１１）。
【０１１７】
該湿度が４０％以下になっていると判断された時には、感光体ドラム１Ｙの駆動回路（Ｙ）（図３を参照）に信号が送られ、駆動源（Ｙ１）（図３を参照）が作動し、駆動源（Ｙ１）と連接した感光体ドラム１Ｙが回動を開始する（Ｓ１３）。
【０１１８】
一方、該湿度が４０％以下でないと判断された時には、再度湿度が４０％以下かの判断を行う（Ｓ１２）。
【０１１９】
感光体ドラム１Ｙの回動が実行され、予め規定された感光体ドラム１Ｙの回動量に達したか否かのチェックを制御部１００が行う（Ｓ１４）。
【０１２０】
感光体ドラム１Ｙの回動量が規定量に達したと判断された時には、制御部１００は感光体ドラム１Ｙの駆動回路（Ｙ）に信号を送り、駆動源（Ｙ）の作動を停止し、同時に駆動源（Ｙ）と連接した感光体ドラム１Ｙの回動を停止する（Ｓ１５）。
【０１２１】
以上のフローを繰り返すことにより、感光体ドラム１Ｙ周囲の雰囲気の湿度が４０％以下の環境のもとでは帯電部２Ｙのシールドケース２Ｙ２の開口部Ｂの幅Ｗと対向する感光体ドラム１Ｙ面周長に相当する感光体ドラム１Ｙの回動を画像形成の待機中に実施することにより、感光体ドラム１Ｙがオゾンや窒素酸化物により浸食されることから防止することが可能になる。
【０１２２】
図５は、本実施例において画像形成装置が待機状態にある時の湿度変化に対する排気ファン２Ｙ、２Ｍ、２Ｃ、２Ｋの駆動制御を示すフローチャートである。
【０１２３】
なお、Ｙ以外のＭ、Ｃ、Ｋも同じ構成、機能、サイズを有しているので、以下、Ｙにて説明する。
【０１２４】
画像形成装置が画像形成状態から待機状態（アイドリング時や省エネモード時等）にあるか否かのチェックを制御部１００（図３を参照）が行う（Ｓ２１）。
【０１２５】
待機状態にあると判断された時には、感光体ドラム１Ｙ周囲の湿度を検知するセンサ検知サイクル（センサＳが５分毎に感光体ドラム１Ｙ周囲の湿度を検知する）のｎ番目（ｎ＝１、２、３、・・・）がスタートする（Ｓ２２）。
【０１２６】
一方、待機状態にはないと判断された時には、再度待機状態にあるかの判断を行う（Ｓ２１）。
【０１２７】
感光体ドラム１Ｙ周囲の湿度が検知湿度が予めメモリ１に規定されている湿度Ｋ＝４０％と比較して、湿度４０％以下になっているか否かのチェックを制御部１００が行う（Ｓ２３）。
【０１２８】
該湿度が４０％以下になっていると判断された時には、予めメモリ２（図３を参照）にプログラムされた順番に従って規定された排気ファン２Ｙ７の駆動時間Ｔｍ（例えば、最初の検知間隔では５分駆動、次の検知間隔では１分駆動、その次の検知間隔では駆動停止等）を設定する（Ｓ２４）。
【０１２９】
ついで、制御部１００の指示に基づき、駆動回路（Ｙ）（図３を参照）に信号を送り、駆動源（Ｙ２）（図３を参照）を始動させ、排気ファン２Ｙ７を駆動する（Ｓ２５）。
【０１３０】
排気ファン２Ｙ７の駆動時間Ｔｎが排気ファン２Ｙ７の規定駆動時間Ｔｍに達したかのチェックを行う（Ｓ２６）。
【０１３１】
ＴｎがＴｍに達したと判断された時には、排気ファン２Ｙ７の駆動を停止する（Ｓ２７）。
【０１３２】
ＴｎがＴｍに達していないと判断された時には、再度ＴｎがＴｍに達したかの判断を行う（Ｓ２６）。
【０１３３】
Ｓ２３において、該湿度が４０％以下でないと判断された時には、排気ファン２Ｙ７の駆動は実行されず予め設定されたセンサ検知サイクル時間Ｔｃ（本実施の形態においては５分に設定されている）に達したかのチェックを行う（Ｓ２８）。
【０１３４】
センサ検知サイクル時間が予め設定されたセンサ検知サイクル時間Ｔｃに達したと制御部１００が判断した時には、センサ検知サイクルのｎ番目（ｎ＝１、２、３、・・・）が終了する（Ｓ２９）。
【０１３５】
引き続き、画像形成の待機状態にあるかのチェックを行う（Ｓ３０）。
画像形成の待機状態にあると判断された時には、センサ検知サイクルの順番をｎ→ｎ＋１へ１つ進ませ（Ｓ３１）、再びセンサ検知サイクルｎ＋１をスタートさせる（Ｓ２３）。
【０１３６】
Ｓ３０で画像形成の待機状態にないと判断された場合には、本センサ検知サイクルの連続性が途切れるから、終了（エンド）となる。
【０１３７】
以上のフローを繰り返すことにより、感光体ドラム１Ｙ周囲の雰囲気の湿度が４０％以下の環境のもとにおいて、画像形成時に帯電部２Ｙのコロナ放電電極２Ｙ１が放出したオゾンや窒素酸化物をオゾンフィルタ２Ｙ６に通し機外へ排出する排気ファン２Ｙ７を画像形成の待機中に駆動させることにより、帯電部２Ｙのシールドケース２Ｙ２の開口部Ｂと対向した感光体ドラム１Ｙ周面がオゾンや窒素酸化物により浸食されることから防止することが可能になる。
【０１３８】
さらに、排気ファン２Ｙ７駆動中の騒音は、センサ検知サイクルの時間経過と共に排気ファン２Ｙ７の駆動時間を短くすることにより、低減することが可能になる。
【０１３９】
図６は、本実施例における画像形成装置が待機状態にある時の湿度変化に対する感光体ドラム１Ｙ、１Ｍ、１Ｃ、１Ｋの回動制御及び排気ファン２Ｙ、２Ｍ、２Ｃ、２Ｋの駆動制御を示すフローチャートである。
【０１４０】
なお、Ｙ以外のＭ、Ｃ、Ｋも同じ構成、機能、サイズであるから、以下、Ｙにて説明する。
【０１４１】
画像形成装置が画像形成状態から待機状態（アイドリング時や省エネモード時等）にあるか否かのチェックを制御部１００（図３を参照）が行う（Ｓ４１）。
【０１４２】
待機状態にあると判断された時には、感光体ドラム１Ｙ周囲の湿度を検知するセンサ検知サイクル（センサＳが５分毎に感光体ドラム１Ｙ周囲の湿度を検知する）のｎ番目（ｎ＝１、２、３、・・・）がスタートする（Ｓ４２）。
【０１４３】
一方、待機状態にはないと判断された時には、再度待機状態にあるかの判断を行う（Ｓ４１）。
【０１４４】
感光体ドラム１Ｙ周囲の湿度が検知湿度が予めメモリ１に規定されている湿度Ｋ＝４０％と比較して、湿度４０％以下になっているか否かのチェックを制御部１００が行う（Ｓ４３）。
【０１４５】
該湿度が４０％以下になっていると判断された時には、予めメモリ２（図３を参照）にプログラムされた順番に従って規定された排気ファン２Ｙ７の駆動時間Ｔｍ（例えば、最初の検知間隔では５分駆動、次の検知間隔では１分駆動、その次の検知間隔では駆動停止等）を設定する（Ｓ４４）。
【０１４６】
同時に、制御部１００の指示に基づき、駆動回路（Ｙ）（図３を参照）に信号を送り、駆動源（Ｙ１）（図３を参照）を始動させ、感光体ドラム１Ｙを回動する（Ｓ６１）。
【０１４７】
Ｓ４４にてＴｍが設定されると、制御部１００の指示に基づき、駆動回路（Ｙ）に信号を送り、駆動源（Ｙ１）を始動させ、排気ファン２Ｙ７を駆動する（Ｓ４５）。
【０１４８】
排気ファン２Ｙ７の駆動時間Ｔｎが排気ファン２Ｙ７の規定駆動時間Ｔｍに達したかのチェックを行う（Ｓ４６）。
【０１４９】
ＴｎがＴｍに達したと判断された時には、排気ファン２Ｙ７の駆動を停止する（Ｓ４７）。
【０１５０】
ＴｎがＴｍに達していないと判断された時には、再度ＴｎがＴｍに達したかの判断を行う（Ｓ４６）。
【０１５１】
Ｓ４３において、該湿度が４０％以下でないと判断された時には、排気ファン２Ｙ７の駆動は実行されず予め設定されたセンサ検知サイクル時間Ｔｃ（本実施の形態においては５分に設定されている）に達したかのチェックを行う（Ｓ４８）。
【０１５２】
センサ検知サイクル時間が予め設定されたセンサ検知サイクル時間Ｔｃに達したと制御部１００が判断した時には、センサ検知サイクルのｎ番目（ｎ＝１、２、３、・・・）が終了（エンド）する（Ｓ４９）。
【０１５３】
一方、Ｓ６１で感光体ドラム１Ｙの回動が実行され、予め規定された感光体ドラム１Ｙの回動量に達したか否かのチェックを制御部１００が行う（Ｓ６２）。
【０１５４】
感光体ドラム１Ｙの回動量が規定量に達したと判断された時には、制御部１００は感光体ドラム１Ｙの駆動回路（Ｙ）に信号を送り、駆動源（Ｙ）の作動を停止し、同時に駆動源（Ｙ）と連接した感光体ドラム１Ｙの回動を停止する（Ｓ６３）。
【０１５５】
次に、センサ検知サイクルのｎ番目（ｎ＝１、２、３、・・・）の終了（エンド）へ進む（Ｓ４９）。
【０１５６】
引き続き、画像形成の待機状態にあるかどうかのチェックを行う（Ｓ５０）。
画像形成の待機状態にあると判断された時には、センサ検知サイクルの順番をｎ→ｎ＋１へと１つ進ませ（Ｓ５１）、再びセンサ検知サイクルｎ＋１をスタートさせる（Ｓ４２）。
【０１５７】
Ｓ５０で画像形成の待機状態にないと判断された場合には、本センサ検知サイクルの連続性が途切れるから、終了（エンド）となる。
【０１５８】
以上のフローを繰り返すことにより、感光体ドラム１Ｙ周囲の雰囲気の湿度が４０％以下の環境のもとにおいて、帯電部２Ｙのシールドケース２Ｙ２の開口部Ｂの幅Ｗと対向する感光体ドラム１Ｙ面周長に相当する感光体ドラム１Ｙの回動を画像形成の待機中に実施し、さらに画像形成時に帯電部２Ｙのコロナ放電電極２Ｙ１が放出したオゾンや窒素酸化物をオゾンフィルタ２Ｙ６に通し機外へ排出する排気ファン２Ｙ７を画像形成の待機中に駆動させることにより、帯電部２Ｙのシールドケース２Ｙ２の開口部Ｂと対向した感光体ドラム１Ｙ周面がオゾンや窒素酸化物により浸食されることから防止することが可能になる。
【０１５９】
また、排気ファン２Ｙ７駆動中の騒音は、センサ検知サイクルの時間経過と共に排気ファン２Ｙ７駆動時間を短くすることにより、低減することが可能になる。
【０１６０】
以上、帯電部２Ｙから画像形成時に発生したオゾンや窒素酸化物を、画像形成の待機状態において、かつ感光体ドラム１Ｙ周囲の湿度検知に基づく低湿（４０％以下）時に、帯電部２Ｙのシールドケース２Ｙ２の開口部Ｂに対向する感光体ドラム１Ｙ面近辺に残留し、浮遊するオゾンや窒素酸化物を、（イ）感光体ドラム１Ｙを回動させる、又は（ロ）排気ファン２Ｙ７を駆動させる、又は（ハ）感光体ドラム１Ｙを回動させ、かつ排気ファン２Ｙ７を駆動させることにより、感光体ドラム１Ｙ周面の浸食を防ぐことにより、画像形成による画像濃度むらの発生を防止できるようになる。
【０１６１】
本実施の形態においては、カラー（４色）画像形成装置の場合にて説明しているが、モノクロ（単色）や複数色の画像形成装置においても適用可能である。
【０１６２】
【発明の効果】
画像形成装置の画像形成の待機中に、感光体ドラム周囲の雰囲気の湿度変化に応じて（イ）感光体ドラムを回動させる、（ロ）排気ファンを駆動させる、（ハ）感光体ドラムを回動させ、かつ排気ファンを駆動させる、のいずれかにより、帯電部から発生するオゾンや窒素酸化物による感光体ドラム周面が浸食されることを防止することにより、白帯状や黒帯状の画像濃度むらの発生を防ぐことができる。
【図面の簡単な説明】
【図１】画像形成装置の全体の構成を示す概略図。
【図２】画像形成装置を構成する１組の画像形成部を示す概略図。
【図３】感光体ドラムの回動及び排気ファンの駆動を制御することを示すブロック図。
【図４】感光体ドラムの回動を制御するフローチャート。
【図５】排気ファンの駆動を制御するフローチャート。
【図６】感光体ドラムの回動と排気ファンの駆動を制御するフローチャート。
【符号の説明】
１Ｙ  感光体ドラム（Ｙ）
２Ｙ  帯電部（Ｙ）
２Ｙ１  コロナ放電電極
２Ｙ２  シールドケース
２Ｙ４  オゾン排出部
２Ｙ５  ダクト
２Ｙ６  オゾンフィルタ
２Ｙ７  排気ファン
１０Ｙ  画像形成部（Ｙ）
１００  制御部
Ｓ  センサ
Ｗ  シールドケース開口部幅
【図１】
2004287316.tif 000003
【図２】
2004287316.tif 000004
【図３】
2004287316.tif 000005
【図４】
2004287316.tif 000006
【図５】
2004287316.tif 000007
【図６】
2004287316.tif 000008